(57)【要約】本発明は空気圧マッサージ器に関するもので、本発明による空気圧マッサージ器は、シリンダーと、前記シリンダー内で上下往復運動するピストンと、前記シリンダーと連結されて前記ピストンの上下往復による空気の供給及び回収通路となるメインホースと、前記メインホースと連結されて空気圧の供給を開閉するバルブと、前記バルブと連結されて移送された空気圧を利用して指圧機能をするエアバッグと、回転動力を提供する駆動部とを含む空気圧マッサージ器において、前記駆動部と結合される回転軸と、前記駆動部と結合される回転軸と、前記回転軸と結合される第１偏心カムと、上端部が前記第１偏心カムの下端部と当接し、下端部が前記ピストンの上端部と結合する第１プレスバーと、前記回転軸と結合される第２偏心カムと、下端部が前記第２偏心カムの上端部と当接する第２プレスバーと、前記第１プレスバーと前記第２プレスバーとを連結するリンクとを含んで構成され、前記第１偏心カムの偏心回転によって前記第１プレスバーが下降すれば前記リンクによって第１プレスバーと連結された前記第２プレスバーも下降し、前記第２偏心カムの偏心回転によって前記第２プレスバーが上昇すれば前記リンクによって第２プレスバーと連結された前記第１プレスバーも上昇するように構成される。
2019519315.tif 000002
【特許請求の範囲】
【請求項１】
シリンダーと、前記シリンダー内で上下往復運動するピストンと、前記シリンダーと連結されて前記ピストンの上下往復による空気の供給及び回収通路となるメインホースと、前記メインホースと連結されて空気圧の供給を開閉するバルブと、前記バルブと連結されて移送された空気圧を利用して指圧機能をするエアバッグと、回転動力を提供する駆動部とを含む空気圧マッサージ器において、
前記駆動部と結合される回転軸と、
前記回転軸と結合される第１偏心カムと、
上端部が前記第１偏心カムの下端部と当接し、下端部が前記ピストンの上端部と結合する第１プレスバーと、
前記回転軸と結合される第２偏心カムと、
下端部が前記第２偏心カムの上端部と当接する第２プレスバーと、
前記第１プレスバーと前記第２プレスバーとを連結するリンクとを含んで構成され、
前記第１偏心カムの偏心回転によって前記第１プレスバーが下降する場合、前記リンクによって第１プレスバーと連結された前記第２プレスバーも下降し、前記第２偏心カムの偏心回転によって前記第２プレスバーが上昇する場合、前記リンクによって第２プレスバーと連結された前記第１プレスバーも上昇するように構成されることを特徴とする空気圧マッサージ器。
【請求項２】
シリンダーと、前記シリンダー内で上下往復運動するピストンと、前記シリンダーと連結されて前記ピストンの上下往復による空気の供給及び回収通路となるメインホースと、前記メインホースと連結されて空気圧の供給を開閉するバルブと、前記バルブと連結されて移送された空気圧を利用して指圧機能をするエアバッグと、回転動力を提供する駆動部とを含む空気圧マッサージ器において、
前記駆動部と結合される回転軸と、
前記回転軸と結合される第１偏心カムと、
上端部が前記第１偏心カムの下端部と当接し、下端部が前記ピストンの上端部と結合する第１プレスバーと、
前記回転軸と結合される第２偏心カムと、
下端部が前記第２偏心カムの上端部と当接する第２プレスバーと、
前記第１プレスバーと前記第２プレスバーとを連結するリンクと、
前記回転軸と結合される両面にバーがある円筒と、前記円筒の回転によって左右交互に回転する円盤カムと、前記円盤カムの回転によってバルブシリンダー孔の上に上がれば開かれ、前記バルブシリンダー孔の中に挿入されれば空気が遮られるバルブピストンと、前記バルブピストンの孔と前記シリンダーの中の空気を連結するホースとを含んで構成されて、前記バルブピストンが上昇する直前に開かれ、前記ピストンが下降する直前に閉まる騷音防止バルブとを含んで構成され、
前記第１偏心カムの偏心回転によって前記第１プレスバーが下降する場合、前記リンクによって第１プレスバーと連結された前記第２プレスバーも下降し、前記第２偏心カムの偏心回転によって前記第２プレスバーが上昇する場合、前記リンクによって第２プレスバーと連結された前記第１プレスバーも上昇するように構成されることを特徴とする空気圧マッサージ器。
【請求項３】
シリンダーと、前記シリンダー内で上下往復運動するピストンと、前記シリンダーと連結されて前記ピストンの上下往復による空気の供給及び回収通路となるメインホースと、前記メインホースと連結されて空気圧の供給を開閉するバルブと、前記バルブと連結されて移送された空気圧を利用して指圧機能をするエアバッグと、回転動力を提供する駆動部と含む空気圧マッサージ器において、
前記駆動部と結合される回転軸と、
前記回転軸と結合され、一側平面にカムの輪郭曲線に相当する溝を有する溝カムと、
下端部が前記ピストンの上端部と結合し、上端部で側方向に突出されたベアリングが前記溝カムの溝に挿入されて前記溝カムの回転による前記溝カムの溝の高さ変化によって往復上下運動する溝カム用プレスバーとを含んで構成されることを特徴とする空気圧マッサージ器。
【請求項４】
シリンダーと、前記シリンダー内で上下往復運動するピストンと、前記シリンダーと連結されて前記ピストンの上下往復による空気の供給及び回収通路となるメインホースと、前記メインホースと連結されて空気圧の供給を開閉するバルブと、前記バルブと連結されて移送された空気圧を利用して指圧機能をするエアバッグと、回転動力を提供する駆動部とを含む空気圧マッサージ器において、
前記駆動部と結合される回転軸と、
前記回転軸と結合されるピニオンと、
上面と下面が平たい円筒状の部材で、上面辺縁に沿って前記ピニオンと噛み合う鋸歯が形成され、側面には曲面に沿って一回り回りながら高さが連続的に変化する溝が形成される円筒状溝カムと、
下端部が前記ピストンの上端部と結合し、上端部で側方向に突出されたベアリングが前記円筒状溝カムの溝に挿入されて前記円筒状溝カムの回転による前記円筒状溝カムの溝の高さ変化によって往復上下運動する円筒状溝カム用プレスバーとを含んで構成されることを特徴とする空気圧マッサージ器。
【請求項５】
シリンダーと、前記シリンダー内で上下往復運動するピストンと、前記シリンダーと連結されて前記ピストンの上下往復による空気の供給及び回収通路となるメインホースと、前記メインホースと連結されて空気圧の供給を開閉するバルブと、前記バルブと連結されて移送された空気圧を利用して指圧機能をするエアバッグと、回転動力を提供する駆動部とを含む空気圧マッサージ器において、
前記駆動部と結合される回転軸と、
前記回転軸と結合される偏心カムと、
上端部が前記偏心カムの下端部と当接し、下端部が前記ピストンの上端部と結合するプレスバーと、
前記シリンダーの中央下端に備えられたスプリングボックスと、
スプリングボックスの中に内蔵されて圧縮されると、前記ピストンを上方へ押す力を加えるリターンスプリングとを含んで構成されることを特徴とする空気圧マッサージ器。
【請求項６】
前記ピストンには前記ピストンを上下に貫通する通孔が備えられ、前記通孔の内部に設置されて前記シリンダーの内部の空気圧が前記シリンダーの外部の空気圧より低い場合開放されることにより、前記シリンダーの内部と外部との空気圧差を解消するための圧力バルブと、
前記シリンダーの上部側壁に設置されて前記シリンダーの内部の空気圧が外部の空気圧より低い場合開放される空気吸入バルブとをさらに含んで構成されることを特徴とする請求項５に記載の空気圧マッサージ器。
【請求項７】
シリンダーと、前記シリンダー内で上下往復運動するピストンと、前記シリンダーと連結されて前記ピストンの上下往復による空気の供給及び回収通路となるメインホースと、前記メインホースと連結されて空気圧の供給を開閉するバルブと、前記バルブと連結されて移送された空気圧を利用して指圧機能をするエアバッグと、回転動力を提供する駆動部とを含む空気圧マッサージ器において、
前記駆動部と結合される回転軸と、
前記回転軸に結合される偏心カムとバルブカムと、
上端部が前記偏心カムの下端部と当接し、下端部が前記ピストンの上端部とねじ結合するプレスバーと、
前記シリンダーの下端に備えられたスプリングボックスに設置されて圧縮されると、前記ピストンを上方へ押す力を加えるリターンスプリングと回転軸に結合されたバルブカムの回転によりピストンが上昇する時は開かれ、下降する時は閉まるバルブとをさらに含んで構成されることを特徴とする空気圧マッサージ器。
【発明の詳細な説明】
【技術分野】
【０００１】
本発明はピストンを上下運動させながらシリンダーの中の空気をエアバッグの中に供給及び回収する時に発生するエアバッグの膨張力と収縮力を利用してマッサージが必要な体の部位を間歇的に圧迫する方法で体の部位を持続的にマッサージをする装置に関する。
【背景技術】
【０００２】
本発明者が特許登録した韓国特許第１０−０８３５７５５号による高機能経絡マッサージ器は偏心カムを回転させてピストンを下降させると、シリンダーの中の空気がホースを通じてエアバッグの中に圧送されてエアバッグの中に膨張力が発生することを利用した装置である。
【０００３】
前記膨張力を利用して体の部位を圧迫した後リターンスプリングの弾性によってピストンが上昇されるように構成されているが、エアバッグの中に供給された空気がシリンダーの中にほぼ回収されてエアバッグの中の空気量が稀薄になり、そしてピストンが上昇する時シリンダーの中に吸入される空気が不足になるとシリンダーの内部には空気圧が低いので大気圧がピストンを押す力によってピストンの上昇速度が遅くなり、ピストンが上昇する時騷音が発生するという問題点がある。
【０００４】
ピストンが上死点まで上昇した時、エアバッグの中に供給された空気全量がシリンダーの中に回収され、その瞬間バルブが取り替えてこそ先に供給されたエアバッグの中の空気が１００％回収された後次のエアバッグに１００％供給されることができ、順次に供給される複数のエアバッグで所定の膨張力が発生してこそ効果的にマッサージをすることができるが、リターンスプリングの力では上死点まで速かに上昇させることができないので、空気が１００％回収されない状態でバルブが取り替えられて新たに供給されるエアバッグには先に供給されていたエアバッグの中に残存した空気量だけ不足に供給されて膨張力が弱くなる虞がある。
【０００５】
従って、リターンスプリングによってピストンを上昇させる技術は限定された量の空気を１００％活用することができなく、ピストンが上昇し始める時騷音が発生するという問題点がある。
【発明の概要】
【発明が解決しようとする課題】
【０００６】
本発明はシリンダーの中に入っている所定量の空気をエアバッグの中に供給して回収する過程においてピストンを上昇させる時にも強制的に駆動されることができるようにし、騷音なしにピストンを上死点まで速かに上昇させ、所定量の空気が損失されることなく複数のエアバッグに交互に供給されることができるようにする良質の空気マッサージ器を提供することにその目的がある。
【課題を解決するための手段】
【０００７】
このような前記目的を達するための本発明による空気圧マッサージ器は、シリンダーと、前記シリンダー内で上下往復運動するピストンと、前記シリンダーと連結されて前記ピストンの上下往復による空気の供給及び回収通路となるメインホースと、前記メインホースと連結されて空気圧の供給を開閉するバルブと、前記バルブと連結されて移送された空気圧を利用して指圧機能をするエアバッグと、回転動力を提供する駆動部とを含む空気圧マッサージ器において、前記駆動部と結合される回転軸と、前記回転軸と結合される第１偏心カムと、上端部が前記第１偏心カムの下端部と当接し、下端部が前記ピストンの上端部と結合する第１プレスバーと、前記回転軸と結合される第２偏心カムと、下端部が前記第２偏心カムの上端部と当接する第２プレスバーと、前記第１プレスバーと前記第２プレスバーとを連結するリンクと、前記回転軸に結合して騷音防止バルブを制御する両面にバーがある円筒と、前記円筒の回転によって左右交互に回転しながらバルブピストンを開閉する円盤カムと、上端部が前記円盤カムの下端部と当接するバルブピストンと、前記バルブピストンの空気通路となる孔と前記シリンダーと空気が連通することができるように連結するホースとを含んで構成され、前記第１偏心カムの偏心回転によって前記第１プレスバーが下降すれば前記リンクによって第１プレスバーと連結された前記第２プレスバーも下降し、前記第２偏心カムの偏心回転によって前記第２プレスバーが上昇すれば前記リンクによって第２プレスバーと連結された前記第１プレスバーも上昇するように構成されることができる。
【０００８】
また、前記目的を達するための本発明による空気圧マッサージ器は、シリンダーと、前記シリンダー内で上下往復運動するピストンと、前記シリンダーと連結されて前記ピストンの上下往復による空気の供給及び回収通路となるメインホースと、前記メインホースと連結されて空気圧の供給を開閉するバルブと、前記バルブと連結されて移送された空気圧を利用して指圧機能をするエアバッグと、回転動力を提供する駆動部とを含む空気圧マッサージ器において、前記駆動部と結合される回転軸と、前記回転軸と結合され、一側平面にカムの輪郭曲線に相当する溝を有する溝カム（ｇｒｏｏｖｅｄ  ｃａｍ）と、下端部が前記ピストンの上端部と結合し、上端部で側方向に突出されたベアリングが前記溝カムの溝に挿入されて前記溝カムの回転による前記溝カムの溝の高さ変化によって往復上下運動する溝カム用プレスバーとを含んで構成されることができる。
【０００９】
また、前記目的を達するための本発明による空気圧マッサージ器は、シリンダーと、前記シリンダー内で上下往復運動するピストンと、前記シリンダーと連結されて前記ピストンの上下往復による空気の供給及び回収通路となるメインホースと、前記メインホースと連結されて空気圧の供給を開閉するバルブと、前記バルブと連結されて移送された空気圧を利用して指圧機能をするエアバッグと、回転動力を提供する駆動部とを含む空気圧マッサージ器において、前記駆動部と結合される回転軸と、前記回転軸と結合されるピニオンと、上面と下面が平たい円筒状の部材であって、上面辺縁に沿って前記ピニオンと噛み合う鋸歯が形成され、側面には曲面に沿って一回り回りながら高さが連続的に変化する溝が形成される円筒状溝カムと、下端部が前記ピストンの上端部と結合し、上端部で側方向に突出されたベアリングが前記円筒状溝カムの溝に挿入されて前記円筒状溝カムの回転による前記円筒状溝カムの溝の高さ変化によって往復上下運動する円筒状溝カム用プレスバーとを含んで構成されることができる。
【００１０】
また、前記目的を達するための本発明による空気圧マッサージ器は、シリンダーと、前記シリンダー内で上下往復運動するピストンと、前記シリンダーと連結されて前記ピストンの上下往復による空気の供給及び回収通路となるメインホースと、前記メインホースと連結されて空気圧の供給を開閉するバルブと、前記バルブと連結されて移送された空気圧を利用して指圧機能をするエアバッグと、回転動力を提供する駆動部とを含む空気圧マッサージ器において、前記駆動部と結合される回転軸と、前記回転軸と結合される偏心カムと、上端部が前記偏心カムの下端部と当接し、下端部が前記ピストンの上端部と結合するプレスバーと、前記シリンダーの内部で前記ピストンの下側空間に備えられたスプリングボックスの中に内蔵されて圧縮されると前記ピストンを上方へ押す力を加えるリターンスプリングとを含んで構成されることができる。
【００１１】
また、前記ピストンには前記ピストンを上下に貫通する通孔が備えられ、前記通孔の内部に設置されて、前記シリンダーの内部空間の空気圧が前記ピストンの上側空間の空気圧より小さい場合開放されることにより前記ピストンの上下空気圧の差を解消するための圧力バルブ及び前記シリンダーの上部側壁に設置されて前記シリンダーの内部空間の空気圧が外部の空気圧より低い場合開放される空気吸入バルブをさらに含んで構成されることが好ましい。
【発明の効果】
【００１２】
本発明はシリンダーの中の空気を供給及び回収する手段となるピストンの上下運動で上昇手段となるリターンスプリングを取り除く代わりに、カムのみで強制的に駆動されるようにしてピストンが上死点まで騷音なしに速かに上昇するようにして体の部位を圧迫するエアバッグの膨張力が一定に保持されるようにして効果的なマッサージを持続的にすることができるという長所がある。
【図面の簡単な説明】
【００１３】
【図１】本発明の一実施例による第１偏心カム及び第２偏心カムを用いてピストンを強制駆動させながら騷音を防止する騷音防止バルブが付着された空気マッサージ器の正面図である。
【図２】騷音防止バルブの構造を示した図で、［Ａ］は正面図、［Ｂ］は右側面図、［Ｃ］は円盤カム底面の高さ変化を線で示した参考図である。
【図３】本発明の一実施例による第１偏心カムが回転しながらピストンを下降させる状態を示した図である。
【図４】本発明の一実施例による第２偏心カムの側面図である。
【図５】本発明の一実施例による空気マッサージ器の複数のバルブ孔が形成されるバルブでそれぞれのバルブ孔にホースが連結され、ホースの末端に二つのエアバッグが連結されて経絡部位をマッサージする状態を示した図である。
【図６】本発明の他の実施例による溝カムと溝カム用プレスバーを用いて駆動させる空気マッサージ器の正面図である。
【図７】本発明の他の実施例による溝カムの側面図である。
【図８】本発明のまた他の実施例によるギヤと円筒状溝カムを用いる空気マッサージ器の正面図である。
【図９】図７に示した空気マッサージ器の中のギヤと円筒状溝カムを示した斜視図である。
【図１０】本発明のまた他の実施例による圧力バルブとリターンスプリングを用いる空気マッサージ器の正面図である。
【図１１】本発明のまた他の実施例によるリターンスプリングとバルブを開閉するバルブカムとバルブを用いる空気マッサージ器の正面図である。
【図１２】図１１の正面図に組み立てられたバルブカムの正面図である。
【発明を実施するための形態】
【００１４】
本発明はシリンダーと、前記シリンダー内で上下往復運動するピストンと、前記シリンダーと連結されて前記ピストンの上下往復による空気の供給及び回収通路となるメインホースと、前記メインホースと連結されて空気圧の供給を開閉するバルブと、前記バルブと連結されて移送された空気圧を利用して指圧機能をするエアバッグと、回転動力を提供する駆動部とを含む空気圧マッサージ器において、前記駆動部と結合される回転軸と、前記回転軸と結合される第１偏心カムと、上端部が前記第１偏心カムの下端部と当接し、下端部が前記ピストンの上端部と結合する第１プレスバーと、前記回転軸と結合される第２偏心カムと、下端部が前記第２偏心カムの上端部と当接する第２プレスバーと、前記第１プレスバーと前記第２プレスバーとを連結するリンクと、前記回転軸に結合して騷音防止バルブを制御する両面にバーがある円筒と、前記円筒の回転によって左右交互に回転しながらバルブピストンを開閉する円盤カムと、上端部が前記円盤カムの下端部と当接するバルブピストンと、前記バルブピストンの空気通路となる孔及び前記シリンダーと空気が連通されることができるように連結するホースとを含んで構成され、前記第１偏心カムの偏心回転によって前記第１プレスバーが下降すれば前記リンクによって第１プレスバーと連結された前記第２プレスバーも下降し、前記第２偏心カムの偏心回転によって前記第２プレスバーが上昇すれば前記リンクによって第２プレスバーと連結された前記第１プレスバーも上昇するように構成される。
【００１５】
［実施形態］
本発明を添付した図面を参照して詳しく説明すれば次の通りである。
【００１６】
図１は本発明の一実施例による第１偏心カム及び第２偏心カムを用いてピストンの上下運動を強制駆動させる空気マッサージ器に騷音防止バルブを付着した正面図である。
【００１７】
シリンダー１０の上端にベースブロック４０を結合し、その上に上方へ長く立てられるメインブロック５０と、メインブロック５０と所定距離だけ離れて立てられる補助ブロック９０とを組み立て、メインブロック５０にはギヤードモータ及び減速機が結合され、ギヤードモータの作動によって回転運動し、メインブロック５０及び補助ブロック９０によって回転可能に支持される回転軸１１６に第１偏心カム１８０と第２偏心カム２００、騷音防止バルブを制御する両面にバーがある円筒２７０が固定結合される。ガイド７０は両末端部がメインブロック５０の上端部と補助ブロック９０の上端部それぞれに結合されて水平方向に横切るように設置される。
【００１８】
モーターに電源を印加する場合、第１偏心カム１８０が回転しながら第１プレスバー３０ａと第１プレスバーの下端に結合されたピストン２０とリンク１９０によって連結された第２プレスバー３７が同時に下降する。
【００１９】
ピストン２０が下降するとピストン２０の下のシリンダー１０の中の空気はメインホース２２５を通じてバルブ１４０の中に圧送された後１２個のバルブ孔２３０の中開かれているただ一つのバルブと連結された二つのエアバッグ２１０の中に圧送されてエアバッグ２１０を膨脹させる。
【００２０】
この膨張力で体の部位を圧迫した後、回転軸１１６が回転し続けることによって第２偏心カム２００が回転しながら第２プレスバー３７を上昇させるとリンク１９０で連結された第１プレスバー３０ａとこれと結合されたピストン２０が上昇するが、ピストン２０が上昇する場合、シリンダー１０の中には空気が稀薄な空間が発生し、そこでエアバッグ２１０の中に供給された空気が回収されながら体の部位を圧迫したエアバッグ２１０の膨張力が消滅されるので圧迫感も消滅される。
【００２１】
このような方法で持続的にマッサージをすることができ、常にただ一つだけ順次に開かれるようになっているバルブは回転軸１１６に結合された第１外歯車１００が回転することによって第１外歯車１００と噛み合い、補助ブロック９０に回転可能に支持されるギヤ軸１１５と結合された第１従動ギヤ１０１が回転し、第１従動ギヤ１０１が回転することによってギヤ軸１１５と結合された第２外歯車１０２が回転し、第２外歯車１０２が回転することによって第２外歯車１０２と噛み合い、円盤カム軸１１０と結合された第２従動ギヤ１０３が回転されることにより作動するが、１２個のバルブ孔２３０は順次に一つずつ開かれるようになり、シリンダー１０で供給される空気はこの開かれているバルブを通じてそれに連結されたエアバッグ２１０に供給されながらそのエアバッグと当接している体の部位をマッサージするようになる。マッサージ方法は図５に示したのと同じである。
【００２２】
第１外鋸歯ギヤ１００、第１従動ギヤ１０１、第２外鋸歯ギヤ１０２、第２従動ギヤ１０３及び円盤カム１６０の回転により作動するバルブの具体的な内容については韓国特許第０８３５７５５号公報に詳しく開示されているので、ここでは具体的な説明を省略する。
【００２３】
一方、騷音防止バルブを制御する両面にバーがある円筒は回転軸１１６に結合されて回転しながら円盤カム２７１を左右に回転させ、同時にピストン２０が上昇する直前に円盤カムの下に組み立てられたバルブピストン２７３を開いてエアバッグの中の圧縮空気を放出して空気圧を解消した後、ピストンが上昇し始めるようにしてピストンを支える強い空圧によってピストンが跳ね上がりながら発生する騷音を防止することができ、ピストンが上昇する間開かれているバルブを通じてシリンダー１０の中に空気が充分吸入されるのでピストンが上死点まで速かに上昇した後ピストン２０が下降する直前にバルブピストン２７３を閉めた状態でピストン２０を下降させればシリンダーの中の空気はバルブを経てエアバッグの中に供給されて回収されながら持続的にマッサージをすることができる。
【００２４】
図２は騷音防止バルブの構造を示したもので、両面にバーがある円筒２７０が回転軸１１６に結合されて矢印方向へ回転しながら円盤カムの顎２７６を押せば円盤カム軸２７７によって回転支持される円盤カムが左右交互に回転しながらバルブピストンを開閉する。
【００２５】
具体的には、バーＡが回転しながら円盤カムの顎を引っ張れば円盤カムが左回転しながら円盤カムの下面の高い部分がバルブピストン２７３上に停止した時はバルブピストン２７３の横孔がバルブシリンダー２７２上に上昇してエアバッグの中に供給されていた空気が放出されて空気圧が消滅された状態で第２偏心カム２００の回転によりピストン２０を上昇させれば上昇する時騷音も発生しなく、ピストン２０が上昇する間バルブが開かれていればシリンダー１０の中に空気が充分吸入されることができる。
【００２６】
両面にバーがある円筒２７０が回転し続けてバーＢが円盤カムの顎２７６を引っ張ると、円盤カムが右回転しながら下端の傾斜面と低い部分がバルブピストン２７３の上に上がりながらバルブピストン２７３を押す場合、横孔２７５がバルブのシリンダー２７２の中に下降して空気が遮断された状態で第１偏心カム１８０の回転でピストン２０を下降させるとシリンダー１０の中の空気１００％全量がエアバックの中に供給されるのでエアバッグの膨張力を一定に保持しながら騷音なしに良質のマッサージをすることができる。
【００２７】
図ｃは円盤カムの中心角による下端の高さ変化を直線で示した参考図である。
【００２８】
図３は第１偏心カム１８０が回転軸１１６を軸として回転しながら第１偏心カム１８０の下端と当接している第１プレスバー３０ａを下降させる構成を示した図である。
【００２９】
第１プレスバー３０ａの上部にはニードルベアリング３５ａが組み立てられ、下端部にはピストン２０がねじ結合される。
【００３０】
偏心カムの中心角０゜部分が第１プレスバー３０ａ上部のベアリング３５ａと摩擦されている間には第１プレスバー３０ａとピストン２０は上死点に位置され、第１偏心カム１８０が矢印方向へ回転して偏心カムの半径が長くなる中心角ａ゜を経てｂ゜部分がベアリング３５ａと摩擦される時はピストン２０は下死点まで下降した状態であり、ｂ゜からｃ゜間の区間がベアリング３５ａと摩擦される間にはカムの半径が最も長い状態に保持されるので、ピストンは下死点に止まるようになる。
【００３１】
ｃ゜から半径が短くなるので、第２偏心カム２００の機能により第２プレスバー３７が上昇しながらリンク１９０で連結された第１プレスバー３０ａとピストン２０を上昇させるが、ｅ゜部分が摩擦される時は第１プレスバー３０ａとその下端に結合されたピストン２０は再び上死点まで上昇した状態になる。
【００３２】
図４は第２偏心カム２００を示した図で、第２プレスバー３５を上昇させる機能を行いながら第１偏心カム１８０と協力してピストン２０を上下運動させる。
【００３３】
第２偏心カム２００はピストン２０を上昇させる時に用いられるので、第１偏心カム１８０とは反対に第２プレスバー３７が上側にあり、第２偏心カム２００が下側で回転しながら第２プレスバー３７を上昇させる機能をし、リンク１９０で連結された第１プレスバー３０ａとその下端に結合されたピストン２０を同時に上昇させる。
【００３４】
第１プレスバー３０ａと第２プレスバー３７はリンク１９０によって締結されて同時に上下に動くようになっているので、第１偏心カム１８０と第２偏心カム２００の回転によってピストン２０が上下に動く。第２プレスバー３７は上方に長く延長してガイド７０に形成された案内孔を貫通しており、第２プレスバー３７の上下運動がガイド７０によって案内される。
【００３５】
具体的には、第１偏心カム１８０が回転しながら第１プレスバー３０ａを下降させると、第１プレスバー３０ａの下端に結合されたピストン２０及び第１プレスバー３０ａとリンク１９０で連結された第２プレスバー３７も同時に下降し、回転軸１１６が回転し続けて第２偏心カム２００が第２プレスバー３７を上昇させると、第２プレスバー３７とリンク１９０で連結された第１プレスバー３０ａとその下端に結合されたピストン２０も上昇しながらシリンダーの中の空気をエアバッグの中に供給回収しながら持続的にマッサージをする。
【００３６】
図５はベルト２１５とエアバッグ２１０でマッサージをすることを示した図で、バルブ１４０に備えられた複数のバルブ孔それぞれにホース２２０を差し込み、ホース２２０の反対側の末端にはエアバッグ２１０を連結した後マッサージが必要な体の部位にエアバッグ２１０を付着した後ベルト２１５で縛り付けてマッサージをする状態を示した図である。
【００３７】
バルブ１４０を通じてエアバッグ２１０に空気が供給されると、扁平なエアバッグ２１０が膨脹してベルト２１５が膨張すると、ベルト２１５で縛り付けた体の部位を圧迫することになり、再びピストン２０が上昇すればエアバッグ２１０へ供給していた空気をシリンダー１０で再び吸い込むので圧迫感が解約されるが、このような作動が繰り返され続けることにより持続的にマッサージをすることができる。
【００３８】
図６及び図７は本発明による他の実施例を示した図である。
【００３９】
図１に示した実施例の場合には第１偏心カム１８０と第１プレスバー３０ａと第２偏心カム２００及び第２プレスバー３７を利用してピストン２０の上下運動をさせるが、本実施例では、溝カム１８５と溝カム用プレスバー３０ｂを用いてピストン２０の上下運動をさせることで差異があり、このような方式もスプリングなしでカムだけでピストン２０を上下運動させることができるという点では図１に示したマッサージ装置と同一である。
【００４０】
図７は図６に示した実施例で用いられる溝カム１８５の側面図である。
【００４１】
溝カム用プレスバー３０ｂのベアリング３５ｂを溝カム１８５の溝１８６に挿入した状態で溝カム１８５を矢印方向に回転させると、溝１８６の高さによって溝カム用プレスバー３０ｂが上下に動くが、溝カム１８５の中心角０゜部位にあたる溝１８６がベアリング３５ｂと摩擦される時、溝１８６が軸孔１８７に最も近接しているので、溝カム用プレスバー３０ｂが最も高く上昇した状態になり、それにより、溝１８６に挿入されたベアリング３５ｂも上死点まで上昇した状態になり、溝カム用プレスバー３０ｂと結合されたピストン２０も上死点まで上昇するようになる。
【００４２】
溝カム用プレスバー３０ｂは常に軸孔１８７の垂直下方に位置するので、溝カム１８５が回転する時溝１８６の高さによって上下に動くようになる。
【００４３】
溝カム１８５が矢印方向に回転する時、中心角０゜部分からａ゜部分までの溝１８５がベアリング３５ｂと摩擦される間は溝１８６の位置が軸孔１８７で漸次に遠くなるので溝カム用プレスバー３０ｂは漸次に下降することになり、溝１８６の位置が軸孔１８７の中心から最も遠く離れたｂ゜でｃ゜区間がベアリング３５ｂと摩擦している間には溝カム用プレスバー３０ｂは下死点で停止している状態になる。
【００４４】
溝カム１８５が回転し続けてｃ゜部分がベアリング３５ｂと摩擦する時から溝カム用プレスバー３０ｂは上昇し始めてｅ゜部分がベアリング３５ｂと摩擦している時は溝カム用プレスバー３０ｂは再び上死点まで上昇した状態になる。
【００４５】
従って、溝カム１８５を回転し続けると、溝カム用プレスバー３０ｂとピストン２０が上下運動をし続けるようになるので、シリンダーの中の空気を供給、回収しながら持続的にマッサージをすることができる。
【００４６】
溝カム用プレスバー３０ｂは第１プレスバー３０ａとは形態が異なるプレスバーであり、ベアリング３５ｂが溝カム１８５の溝１８６に挿入されて回転するので、溝カム１８５の溝１８６の高さによって上下に動き、下端に結合されたピストン２０を上下に移動させる。
【００４７】
図８は図６に示した実施例の溝カム１８５を変形させた円筒状溝カム６５を回転させながら円筒状溝カム用プレスバー３０ｃを上下運動させる構造を有する実施例を示した図である。
【００４８】
本実施例は、図９に示したように、一般的なインボリュート歯車歯形を有する平歯車のようなピニオン６０が水平な回転軸１１６を軸として回転させれば円筒状溝カム６５の上面辺縁に沿って円形に配列される鋸歯と噛み合って円筒状溝カム６５を自転させる。このようなギヤ構造は交差軸ギヤの中でフェースギヤ（Ｆａｃｅ  ｇｅａｒ）と同じものと見ることができる。円筒状溝カム６５が回転すると円筒状溝カム６５の溝６６にベアリング３５ｃが挿入されているので、ベアリング３５ｃが溝６６の高さによって上下に動くようになり、同時に円筒状溝カム用プレスバー３０ｃが上下に動きながらピストン２０を上下運動させる。
【００４９】
図９で中心角０゜部分とベアリング３５ｃが摩擦されている時は溝６６の位置が最も高い部分であるので、円筒状溝カム用プレスバー３０ｃは上死点に到逹した状態であり、円筒状溝カム６５が矢印方向に回転してａ゜部分がベアリング３５ｃに近くなると円筒状溝カム用プレスバー３０ｃは下降するようになり、円筒状溝カム６５が回転し続けると、溝６６の位置によって円筒状溝カム用プレスバー３０ｃが上下に動きながらシリンダーの中の空気を供給、回収しながらマッサージをするようになる。
【００５０】
図１０は本発明のまた他の種類の実施例による偏心カム１８０とリターンスプリング２５０を用いる空気マッサージ器の正面図である。
【００５１】
本実施例の場合、図１に示した実施例による装置における第２偏心カムと、第２プレスバー及びリンクの代りにピストン２０を下から支えるリターンスプリング２５０がシリンダー１０の下端のスプリングボックス１１に内蔵されてピストン２０が下降する時圧縮され、偏心カム１８０の半径の短い部分がプレスバー３０ａと摩擦する時リターンスプリングの弾性によりピストンを上昇させ、ピストン２０に備えられる圧力バルブ２４０とシリンダー１０の上部側壁に備えられる空気吸入バルブ２４１をさらに含んで構成される。
【００５２】
圧力バルブ２４０はチェックバルブで、ピストンに上下に貫通して形成された通孔の内部を詰めるように組み立てられたものである。通常のチェックバルブの内部にはバルブを弾性的に支えるスプリングが備えられて、外力がスプリングの弾性より強い力でバルブを押す場合、バルブが動いてすき間ができて空気が移動することができるようにバルブが開かれた状態になり、外力がスプリングの弾性より弱い場合、バルブがスプリングによって押されて隙間がなくなるので、バルブが閉まった状態になる構成を有する。
【００５３】
本発明の場合、ピストン２０を下降させながらシリンダー１０の中の空気をエアバッグ２１０の中に圧送すれば、エアバッグ２１０の中の空間がシリンダー１０の中の空間より少ないので、空気が圧縮されてｃｍ２当たり２００ｇ程度の空圧が発生する。
【００５４】
ピストン２０が下降すると、エアバッグ２１０の中の空気は大気より圧力が強いため、ピストン２０が下降した約６秒間空気の一部がホースの連結部位などを通じて漏れてピストン２０が再び上昇する時漏れた空気だけシリンダー１０の中に吸入される空気が不足になってシリンダー１０の中の空圧が大気圧より弱くなる。
【００５５】
例え、空気の５％が流失された場合、ｃｍ２当たり５０ｇの圧力が大気圧より弱い状態になる。どころが、上昇するピストン２０の断面積が２００ｃｍ２である場合、大気圧がピストン２０を押す力は２００ｋｇになり、シリンダー１０の中の空気がピストン２０を支える力は１０ｋｇ不足になる。
【００５６】
ピストン２０が下死点の付近である場合、リターンスプリング２５０が圧縮された状態であるので弾性も強く空圧も作用して容易に上昇するが、上死点の近くに来た場合にはリターンスプリング２５０もほぼ開かれた状態であるため弾性が弱くて大気圧がピストン２０を押す力がリターンスプリング２５０の弾性より強いため上昇しにくくなる。
【００５７】
圧力バルブ２４０上面の断面積が１ｃｍ２である場合、大気がバルブを押す力は１ｋｇになり、シリンダー１０の内部の空圧が圧力バルブ２４０を支える力は５％不足して９５０ｇであるので、大気圧が圧力バルブ２４０を押す力が５０ｇ強く、圧力バルブ２４０を押し上げるリターンスプリング２５０の力が２０ｇであれば、それでも３０ｇの力がもっと強いので、圧力バルブ２４０を押して圧力バルブ２４０が開放し、圧力バルブ２４０の上側の空気がシリンダー１０の中に吸入されてピストン２０下側のシリンダー１０の内部の空圧とピストン２０の上側のシリンダー外部の空圧が同じになるので、リターンスプリング２５０の力だけでもピストン２０を上昇させることができる。
【００５８】
チェックバルブである空気吸入バルブ２４１をピストンでなくてもシリンダー１０の内部と通じることができる部位いずれにも付着しておけば空圧差によって自動的に空気吸入バルブ２４１が開かれてシリンダー１０の中に空気が吸入されてピストンが容易に上昇することができる。即ち、シリンダー１０の外部の大気圧とシリンダー１０の内部の空気圧は空気吸入バルブ２４１によって自動的に均衡を取るように調節され、シリンダー１０の内部でピストン２０の上側の空気圧とピストン２０の下側の空気圧は圧力バルブ２４０によって自動的に均衡を取るように調節される。
【００５９】
図１１は本発明のまた他の種類の実施例で、リターンスプリング２５０とその補助手段であるバルブとバルブを開閉するバルブカム１８１を用いてピストン２０を容易に上昇させる空気マッサージ器の正面図である。本実施例の場合、図１に示した実施例による装置における第２偏心カムと、第２プレスバー及びリンクの代りにピストン２０を下で支えるリターンスプリング２５０がシリンダー１０の中央下端に備えられたスプリングボックス１１の中に内蔵され、回転軸１１６に組み立てられたバルブカム１８１の回転により開閉する空気吸入バルブ２４１とシリンダーの下端の吸入口を連結するホース２２４を含んで構成されるが、ピストンが上昇する直前にバルブカム１８１の機能によりバルブ２４２を開いて圧縮空気の一部を放出させた後、ピストンを上昇させるとピストンを急上昇させる空圧が一部解消された後、スプリングの弾性だけでピストン２０が上昇するのでピストン２０が上昇する際に発生する騷音が顕著に減少し、ピストン２０が上昇する間バルブが開かれている場合バルブに吸入される空気がシリンダーの下端と連結されたホース２２４を通じてシリンダーの中に充分吸入されるのでリターンスプリングの弾性が若干弱くてもピストンが上死点まで速かに上昇することができる。
【００６０】
その後、ピストン２０が下降する直前にバルブカム１８１の回転によりバルブ２４２を閉めた状態で第１偏心カム１８０の回転でピストンを下降させると、シリンダーの中の空気の１００％がエアバッグの中に供給されるので、マッサージ部位を圧迫する力の強さを一定に保持することができる。
【００６１】
韓国特許第１０−０８３５７５５号における図１に示したリターンスプリングは他の部品との衝突によってピストンを正常に上昇させることができるように設置することができないため、シリンダー１０の下端にスプリング２５０が内蔵されるスプリングボックス１１を別途に備えてそこにスプリングを内蔵しておけば、ピストンが下死点まで下降しながらスプリングを圧縮した時発生した弾性によってピストンを正常に上昇させることができる。
【００６２】
図１２はバルブを開閉するバルブカムの正面図であって、回転軸１１６に組み立てられて第１偏心カムと同時に回転しながらバルブカムの中心角３５５゜部分に形成された突出部がバルブ２４０をタッチする瞬間バルブが閉まり、中心角ｃ゜部分の突出部がバルブ２４０をタッチする瞬間バルブが開かれるので、ピストンが上昇する直前にバルブを開き、ピストンが下降する直前にバルブを閉める機能を行う。
【図１】
2019519315.tif 000003
【図２】
2019519315.tif 000004
【図３】
2019519315.tif 000005
【図４】
2019519315.tif 000006
【図５】
2019519315.tif 000007
【図６】
2019519315.tif 000008
【図７】
2019519315.tif 000009
【図８】
2019519315.tif 000010
【図９】
2019519315.tif 000011
【図１０】
2019519315.tif 000012
【図１１】
2019519315.tif 000013
【図１２】
2019519315.tif 000014
【国際調査報告】
2019519315.tif 000015
2019519315.tif 000016
2019519315.tif 000017
2019519315.tif 000018